(57)【要約】【課題】  歩行に合わせてステッキ類を動かしても前下方を安定に照射できるようにするとともに、本来のグリップ部の機能であるグリップ性或いは感触性等を確保し、また、既存のステッキ類に対する組込み或いは後付けを容易にして汎用性を高める。【解決手段】  ポール部２の下端部２ｄに、下端口２ｄｏから光を発する発光ダイオード５を有する発光部４を内蔵し、かつ下端口２ｄｏに、発光部４からの光を透過する透明又は半透明の石突部６を装着するとともに、ポール部２に、発光ダイオード５に給電する電池７及びこの電池７からの給電をＯＮ／ＯＦＦする電源スイッチ８を配設する。【選択図】  図１
0003118032.tif 000002
【実用新案登録請求の範囲】
【請求項１】
所定の長さを有するポール部の上部に手で持つグリップ部を設けたステッキ類において、前記ポール部の下端部に、下端口から光を発する発光ダイオードを有する発光部を内蔵し、かつ前記下端口に、前記発光部からの光を透過する透明又は半透明の石突部を装着するとともに、前記ポール部に、前記発光ダイオードに給電する電池及びこの電池からの給電をＯＮ／ＯＦＦする電源スイッチを配設してなることを特徴とするステッキ類。
【請求項２】
前記発光ダイオードは、白色発光ダイオードを用いることを特徴とする請求項１記載のステッキ類。
【請求項３】
前記ポール部の上端部に、上端口から光を発する発光ダイオードを有する第二発光部を内蔵し、かつ前記上端口に、前記第二発光部からの光を透過する透明又は半透明のグリップ部を装着することを特徴とする請求項１記載のステッキ類。
【請求項４】
前記発光ダイオードは、多色発光ダイオードを用いることを特徴とする請求項３記載のステッキ類。
【請求項５】
前記多色発光ダイオードから発する多色光を時間に従って変化させる発光制御部を備えることを特徴とする請求項４記載のステッキ類。
【請求項６】
前記ポール部には、前記発光ダイオードに給電する電池及びこの電池からの給電をＯＮ／ＯＦＦする電源スイッチを配設することを特徴とする請求項３記載のステッキ類。
【考案の詳細な説明】
【技術分野】
【０００１】
本考案は、所定の長さを有するポール部の上部に手で持つグリップ部を設けたステッキ類に関する。
【背景技術】
【０００２】
従来、所定の長さを有するポール部の上部に手で持つグリップ部を備えるステッキであって、特に、ライト機能等の他の機能を付加したステッキとしては、例えば、特開２０００−２８７７２８号公報で開示されるラジオ・ライト一体化ステッキが知られている。同公報で開示されるステッキは、取っ手（握り手）の一側の部分にラジオ機能を内蔵させるとともに、取っ手の他側の部分にライト機能を内蔵させたものである。
【特許文献１】特開２０００−２８７７２８号
【考案の開示】
【考案が解決しようとする課題】
【０００３】
しかし、上述した従来のステッキは、次のような問題点があった。
【０００４】
第一に、ライト機能に着目した場合、グリップ部にライト部分を内蔵するため、光の照射方向が不安定になる。即ち、ステッキは歩行に合わせて自由に動かす必要があるのに対してライトは前下方を安定に照射する必要があり、これら二つの相反する機能を両立させることは困難である。
【０００５】
第二に、グリップ部を直接利用するため、グリップ部の形状等が制約されるとともに、上端が重くなり、ステッキ全体の重心が上方に移る。このため、本来のグリップ部の機能であるグリップ性或いは感触性等を確保しにくいとともに、本来のステッキの機能である使い易さや安定性を確保しにくい。
【０００６】
第三に、既存のステッキの構成や形状等を変更することなく組込んだり或いは後付けすることが容易でないため、汎用性に劣る。
【０００７】
本考案は、このような背景技術に存在する課題を解決したステッキ類の提供を目的とするものである。
【課題を解決するための手段】
【０００８】
本考案は、上述した課題を解決するため、所定の長さを有するポール部２の上部に手で持つグリップ部３を設けたステッキ類１を構成するに際して、ポール部２の下端部２ｄに、下端口２ｄｏから光を発する発光ダイオード５を有する発光部４を内蔵し、かつ下端口２ｄｏに、発光部４からの光を透過する透明又は半透明の石突部６を装着するとともに、ポール部２に、発光ダイオード５に給電する電池７及びこの電池７からの給電をＯＮ／ＯＦＦする電源スイッチ８を配設してなることを特徴とする。
【０００９】
この場合、考案の好適な態様により、発光ダイオード５は、白色発光ダイオードを用いることができる。一方、ポール部２の上端部２ｕに、上端口２ｕｏから光を発する発光ダイオード１３を有する第二発光部１２を内蔵し、かつ上端口２ｕｏに、第二発光部１２からの光を透過する透明又は半透明のグリップ部３を装着することができる。この発光ダイオード１３には、多色発光ダイオードを用いることができるとともに、この多色発光ダイオード１３から発する多色光を時間に従って変化させる発光制御部１４を設けることができる。また、ポール部２には、発光ダイオード１３に給電する電池１５及びこの電池１５からの給電をＯＮ／ＯＦＦする電源スイッチ１６を配設することができる。
【考案の効果】
【００１０】
このような構成を有する本考案に係るステッキ類１によれば、次のような顕著な効果を奏する。
【００１１】
（１）  ポール部２の下端部２ｄに、下端口２ｄｏから光を発する発光ダイオード５を有する発光部４を内蔵するとともに、下端口２ｄｏに、発光部４からの光を透過する透明又は半透明の石突部６を装着するため、光は、ポール部２の下端口２ｄｏから前方及び横方に照射可能となり、歩行に合わせてステッキ類１を動かしても発光部４及び石突部６により前下方を安定に照射することができる。
【００１２】
（２）  部品類、特に、発光部４，石突部６及び電池７は、ポール部２に内蔵（配設）するため、グリップ部３の形状等が制約されることがない。したがって、本来のグリップ部３の機能であるグリップ性或いは感触性等を確保できるとともに、ステッキ類１の上端が重くなることもないため、本来のステッキ類１の機能である使い易さや安定性を確保できる。
【００１３】
（３）  既存のステッキ類の構成や形状をそのまま利用できるため、既存のステッキ類に対する組込み或いは後付けを容易に行うことができ、汎用性に優れる。
【００１４】
（４）  好適な態様により、発光ダイオード５に、白色発光ダイオードを用いれば、いわゆるペンライト（懐中電灯）としての機能を確保できる。
【００１５】
（５）  好適な態様により、ポール部２の上端部２ｕに、上端口２ｕｏから光を発する発光ダイオード１３を有する第二発光部１２を内蔵し、かつ上端口２ｕｏに、第二発光部１２からの光を透過する透明又は半透明のグリップ部３を装着すれば、周囲に対して十分な注意を喚起することができ、お年寄り等が夜間歩く際における安全性及び防犯性を高めることができる。
【００１６】
（６）  好適な態様により、発光ダイオード１３に、多色発光ダイオードを用いるとともに、この多色発光ダイオード１３から発する多色光を時間に従って変化させる発光制御部１４を設ければ、発光色が時間に従って変化するため、周囲に対する注意の喚起、更にはお年寄り等が夜間歩く際における安全性及び防犯性を、より高めることができる。
【００１７】
（７）  好適な態様により、ポール部２に、発光ダイオード１３に給電する電池１５及びこの電池１５からの給電をＯＮ／ＯＦＦする電源スイッチ１６を配設すれば、独立した二つの電源を確保できるため、発光時間の長時間化を図れるとともに、一方の電池が切れても他方の発光部４又は１２の点灯を確保できる利点がある。
【考案を実施するための最良の形態】
【００１８】
次に、本考案に係る最良の実施形態を挙げ、図面に基づき詳細に説明する。
【００１９】
本実施形態では、ステッキ類１としてお年寄り等が歩く際に使用するステッキ１ｓを例示する。
【００２０】
まず、本実施形態に係るステッキ１ｓの構成について、図１〜図７を参照して説明する。図３は、ステッキ１ｓの外観全体を示す。ステッキ１ｓは、所定の長さを有するポール部２とこのポール部２の上部に設けた手で持つグリップ部３を備え、ステッキ１ｓの全体はＴ形に構成される。この場合、ポール部２は強度等を考慮して、通常、軽量金属材によりパイプ状に形成される。また、例示のポール部２は伸縮式に構成する。即ち、大径の上ポール２ｘに小径の下ポール２ｙを挿入するとともに、ロックリング２１を緩めることにより上ポール２ｘと下ポール２ｙの伸縮調整を行うことができるとともに、ロックリング２１を締めることにより上ポール２ｘと下ポール２ｙを固定することができる。
【００２１】
そして、図１に示すように、ポール部２の下端部２ｄには、下端口２ｄｏから白色光を発する白色発光ダイオード（高輝度ＬＥＤ）５を有する発光部４を内蔵するとともに、下端口２ｄｏには、発光部４からの白色光を透過する透明（又は半透明）の石突部６を装着する。なお、石突部６は無色透明が望ましいが、必要により乳白色にしたり透明性の薄いピンク色やブルー色等にしてもよい。この場合、発光部４は、ポール２に挿入する上ブロック２２と下ブロック２３を備える。上ブロック２２は、図５に示すように、下端面に凹部を有する円筒状に形成し、この凹部の内周面に下ブロック２３が螺着（着脱）するネジ孔部２４を設けるとともに、凹部の底面（図１では上内面）には電池７を受ける一方の電極２５を配設する。一方、下ブロック２３は、図５に示すように、上端面に凹部を有する円筒状に形成し、この凹部は電池ケース２６とする。この電池ケース２６の底面（図１では下内面）には、ダイオード支持部２８を配設するとともに、電池ケース２６に臨むダイオード支持部２８には、電池７を受ける他方の電極２７を配設する。このため、下ブロック２３の下端面には、ダイオード支持部２８が収容される貫通孔２９を設ける。また、下ブロック２３の外周面における軸方向中間位置には、周方向に沿った大径のフランジ部３０を形成し、このフランジ部３０に対して上側に位置する外周面に、上ブロック２２のネジ孔部２４に螺着（着脱）するネジ部３１を設ける。なお、３２，３３は、フランジ部３０の上側と下側に装着した防滴用のＯリングを示す。
【００２２】
さらに、３４はダイオードユニットであり、絶縁材により円筒形に形成したダイオードマウント３５と、このダイオードマウント３５の先端に実装した白色発光ダイオード５からなる。このダイオードマウント３５は、ダイオード支持部２８に対してネジ込み式により着脱することができ、故障時には交換可能である。
【００２３】
他方、石突部６は、発光部４からの白色光を透過する透明（又は半透明）のゴム材（又は合成樹脂材）を用いて一体に形成する。石突部６は、図５に示すように、外周面の上方が漸次小径となるテーパ面を形成した円筒形に形成し、上端面にはポール部２（下ポール２ｙ）が圧入する所定深さの装着孔３６を設けるとともに、この装着孔３６の底面から石突部６の下端面に至る光路孔３７を形成する。これにより、石突部６の下部は、発光部４に対するフードを兼ねる。なお、石突部６は、透明度の高い素材により形成した場合には、図４に示すように、必ずしも光路孔３７を設けることを要しない。
【００２４】
よって、発光部４及び石突部６は、下ポール２ｙに対して次のように組付けることができる。
【００２５】
まず、一本の下ポール２ｙの下部を、図５に示すように、所定長さだけ切断してポール本体２ｙｍと分割ポール２ｙｐに分割する。そして、図１に示すように、ポール本体２ｙｍの下端口に上ブロック２２を挿入し、接着剤等により固定する。また、分割ポール２ｙｐの上端口に下ブロック２３を挿入し、接着剤等により固定する。この際、ダイオード支持部２８にはダイオードユニット３４を装着する。一方、図５に示すように、分割ポール２ｙｐの下端口に装着するアクリル樹脂等の透明の合成樹脂により形成した保護用のキャップ部材３８を用意する。そして、分割ポール２ｙｐの下端口に当該キャップ部材３８を装着した後、分割ポール２ｙｐの下端を石突部６の装着孔３６に挿入（圧入）する。
【００２６】
さらに、電池ケース２６に電池７を収容し、上ブロック２２のネジ孔部２４に下ブロック２３のネジ部３１を螺着する。これにより、ポール本体２ｙｍと分割ポール２ｙｐは、上ブロック２２及び下ブロック２３を介して再結合することができ、図１に示すように、一体的に組付けることができる。したがって、電池７を交換する際には、上ブロック２２と下ブロック２３を離脱させればよい。なお、電池７は、乾電池でもよいし充電式のバッテリ（二次電池）でもよい。
【００２７】
他方、図６に示すように、ポール部２の上端部２ｕには、上端口２ｕｏから多色光を発する多色発光ダイオード１３を有する第二発光部１２を内蔵し、かつ上端口２ｕｏに、第二発光部１２からの多色光を透過する透明（又は半透明）のグリップ部３を装着する。
【００２８】
ポール部２の上端部２ｕ側の構成も、基本的には、図１〜図５に示したポール部２の下端部２ｄ側の構成と同様に構成できる。異なる点は、第二発光部１２の構成を発光部４に対して上下方向を反転させた点、石突部６の代わりにグリップ部３を装着した点、白色発光ダイオード５の代わりに多色発光ダイオード１３を用いた点、多色発光ダイオード１３から発する多色光を時間に従って変化させる発光制御部１４を設けた点、白色発光ダイオード５に対して電池７からの給電をＯＮ／ＯＦＦする電源スイッチ８及び多色発光ダイオード１３に対して電池１５からの給電をＯＮ／ＯＦＦする電源スイッチ１６を配設した点等が主な相違点となる。
【００２９】
なお、図６において、２ｘｐは上ポール２ｘの分割ポール，２ｘｍは上ポール２ｘのポール本体，４２は上ブロック２２に対応する下ブロック，４３は下ブロック２３に対応する上ブロック，４４はネジ孔部２４に対応するネジ孔部，４５は電極２５に対応する一方の電極，４６は電池ケース２６に対応する電池ケース，４７は電極２７に対応する他方の電極，４８はダイオード支持部２８に対応するダイオード支持部，５０はフランジ部３０に対応するフランジ部，５１はネジ部３１に対応するネジ部，５４はダイオードユニット３４に対応するダイオードユニット，５６は装着孔３６に対応するグリップ部３に設けた装着孔をそれぞれ示す。
【００３０】
この場合、グリップ部３は手で握る際のグリップ性や感触性等を考慮して透明（又は半透明）のゴム材（又は合成樹脂材）により形成する。なお、グリップ部３は無色透明が望ましいが、必要により乳白色にしたり乱反射用の多数のミラー片を混入するなど、より目立つ工夫を施してもよい。また、多色発光ダイオード１３は、三色発光ダイオード或いはフルカラー発光ダイオードを利用し、一つの発光ダイオードの中に赤色，青色，緑色の各発光ダイオード素子を内蔵している。これにより、各色の発光ダイオード素子に対応するリードに対して選択的に通電を行えば、赤色，青色，緑色の各発光ダイオード素子を選択的に発光させることができる。発光制御部１４は、電極４７とダイオード支持部４８間に配設する。この発光制御部１４は、例えば、マイクロコンピュータチップを内蔵し、予め設定したプログラムに従って、赤色，青色，緑色の各発光ダイオード素子の発光を選択的に制御する。これにより、多色発光ダイオード１３の発光色を時間に従って変化させることができる。一方、フランジ部５０には、電源スイッチ８，１６を配設する。各電源スイッチ８，１６は、電源スイッチ８，１６を操作するための操作部８ｓ，１６ｓを備える。この操作部８ｓ，１６ｓは、スライド式，プッシュ式（押ボタン式），回転式，可倒式など各種操作形式を適用できる。例示の操作部８ｓ，１６ｓは押ボタン式である。
【００３１】
以上の電池７，１５、電源スイッチ８，１６、発光ダイオード５，１３，発光制御部１４を含む電気系の配線図を図７に示す。なお、図７において、図１〜図６に示した部分と同一部分には同一符号を付してその構成を明確にした。
【００３２】
次に、本実施形態に係るステッキ１ｓの使用方法及び機能（動作）について、図１〜図７を参照して説明する。
【００３３】
まず、一方の電源スイッチ８の操作部８ｓを操作してＯＦＦからＯＮに切換えれば、電池７から白色発光ダイオード５に給電が行われ、白色発光ダイオード５は白色光を発光する。この白色光は、ポール部２の下端部２ｄにおける下端口２ｄｏ、更には石突部６の光路孔３７を通って外部に照射される。この際、石突部６は、発光部４に対するフードを兼ねるため、白色光はポール部２の軸方向前方（下方）にそのまま照射される。また、石突部６は、発光部４からの光を透過する透明（又は半透明）に形成されるため、白色光は、この石突部６を通して横方にも照射される。
【００３４】
これにより、歩行に合わせてステッキ１ｓを動かしても発光部４及び石突部６により前下方を安定に照射することができるとともに、特に、白色発光ダイオード５を用いているため、いわゆるペンライト（懐中電灯）としての機能が確保される。即ち、ステッキ１ｓの角度や位置にさほど影響されることなく石突部６の回りが明るく照らされるとともに、ステッキ１ｓを持ち上げたり、前方へ差し出した際には、ペンライトとして前下方がより明るく照らされる。
【００３５】
また、他方の電源スイッチ１６の操作部１６ｓを操作してＯＦＦからＯＮに切換えれば、電池１５から発光制御部１４に給電が行われ、多色発光ダイオード１３は、発光制御部１４により発光制御される。この場合、発光制御部１４は設定されたプログラムに従って、赤色，青色，緑色の各発光ダイオード素子の発光を選択的に制御し、多色発光ダイオード１３の発光色を時間に従って変化させる。
【００３６】
これにより、周囲に対して十分な注意を喚起することができ、お年寄り等が夜間歩く際における安全性及び防犯性を高めることができる。特に、多色発光ダイオード１３を用いるとともに、この多色発光ダイオード１３から発する多色光を時間に従って変化させる発光制御部１４を設けたため、発光色が時間に従って変化し、上述した周囲に対する注意の喚起、更にはお年寄り等が夜間歩く際における安全性及び防犯性を、より高めることができる。
【００３７】
このような本実施形態に係るステッキ１ｓは、部品類、特に、発光部４，１２、石突部６及び電池７，１５は、ポール部２に内蔵（配設）するため、グリップ部３の形状等が制約されることがない。したがって、本来のグリップ部３の機能であるグリップ性或いは感触性等を確保できるとともに、ステッキ１ｓの上端が重くなることもないため、本来のステッキ１ｓの機能である使い易さや安定性を確保できる。また、既存のステッキ１ｓの構成や形状をそのまま利用できるため、既存のステッキ１ｓに対する組込み或いは後付けを容易に行うことができ、汎用性に優れる。
【００３８】
以上、最良の実施形態について詳細に説明したが、本考案は、このような実施形態に限定されるものではなく、細部の構成，形状，素材，数量等において、本考案の要旨を逸脱しない範囲で、任意に変更，追加，削除することができる。
【００３９】
例えば、白色発光ダイオード５の代わりに多色（単色）発光ダイオードを用いてもよいし、多色発光ダイオード１３の代わりに白色（単色）発光ダイオードを用いてもよい。また、多色発光ダイオード１３の発光色を時間に従って変化させる場合として、赤色，青色，緑色の各発光ダイオード素子の発光を選択的に制御する場合を例示したが、二つ又は三つの各発光ダイオード素子を同時に発光させて各色の中間色（混合色）を発光させてもよいし、必要により点滅させるなどの発光形態を付加することができる。さらに、発光ダイオード５，１３にそれぞれ給電する電池７，１５を用いた場合を例示したが、一つの電池７又は１５を共用してもよい。しかし、本実施形態のように、ポール部２に、別途、発光ダイオード１３に給電する電池１５及びこの電池１５からの給電をＯＮ／ＯＦＦする電源スイッチ１６を配設すれば、独立した二つの電源を確保できるため、発光時間の長時間化を図れるとともに、一方の電池が切れても他方の発光部４又は１２の点灯を確保できる利点がある。なお、ステッキ１として、ステッキ１ｓを例示したが、トレッキングポール（トレッキングステッキ）等の各種ステッキ類にも同様に適用することができる。
【図面の簡単な説明】
【００４０】
【図１】本考案の最良の実施形態に係るステッキの下部の断面正面図、
【図２】図ステッキの下部の底面図、
【図３】同ステッキの外観側面図、
【図４】同ステッキにおける石突部の変更例を示す断面正面図、
【図５】同ステッキの下部における断面分解図、
【図６】同ステッキの上部の断面正面図、
【図７】同ステッキにおける電気系の配線図、
【符号の説明】
【００４１】
１      ステッキ類
２      ポール部
２ｄ    ポール部の下端部
２ｄｏ  ポール部の下端口
２ｕ    ポール部の上端部
２ｕｏ  ポール部の上端口
３      グリップ部
４      発光部
５      発光ダイオード（白色発光ダイオード）
６      石突部
７      電池
８      電源スイッチ
１２    第二発光部
１３    発光ダイオード（多色発光ダイオード）
１４    発光制御部
１５    電池
１６    電源スイッチ
【図１】
0003118032.tif 000003
【図２】
0003118032.tif 000004
【図３】
0003118032.tif 000005
【図４】
0003118032.tif 000006
【図５】
0003118032.tif 000007
【図６】
0003118032.tif 000008
【図７】
0003118032.tif 000009